(57)【要約】      （修正有）【課題】のぼり旗のコーナー部に取り付け、のぼり旗としての機能を向上すると共に、取り付けが簡単且つ確実に行えるほつれ防止シートを提供する。【解決手段】のぼり旗のコーナー部Ｌのほつれを防止するために当該コーナー部Ｌに取り付けるのぼり旗のほつれ防止シート１であって、該ほつれ防止シート１を、加熱圧着によって融着可能な透視性を有するホットメルトフィルムによって形成する。また、透視性を備えた合成樹脂によるフィルムシート素材で形成し、この片面にホットメルト接着剤層２を介して剥離シート３を貼着して構成する。【選択図】図３
2008292524.tif 000002
【特許請求の範囲】
【請求項１】
のぼり旗のコーナー部のほつれを防止するために当該コーナー部に取り付けられるのぼり旗のほつれ防止シートであって、該ほつれ防止シートを、加熱圧着によって融着可能な透視性を有するホットメルトフィルムによって形成してなることを特徴とするのぼり旗のほつれ防止シート。
【請求項２】
のぼり旗のコーナー部のほつれを防止するために当該コーナー部に取り付けられるのぼり旗のほつれ防止シートであって、該ほつれ防止シートを、加熱圧着によって融着し透視性を現出可能としたラミネートによるホットメルトフィルムによって形成してなることを特徴とするのぼり旗のほつれ防止シート。
【請求項３】
のぼり旗のコーナー部のほつれを防止するために当該コーナー部に取り付けられるのぼり旗のほつれ防止シートであって、該ほつれ防止シートを、透視性を備えた合成樹脂によるフィルムシート素材で形成し、この片面に、接着剤層を介して剥離シートを貼着してなることを特徴とするのぼり旗のほつれ防止シート。
【請求項４】
前記ほつれ防止シートは、のぼり旗のコーナー部を覆うよう直角三角形シート状もしくは四角形シート状に形成されてなる請求項１乃至３のいずれか記載ののぼり旗のほつれ防止シート。
【請求項５】
のぼり旗のコーナー部のほつれを防止するために当該コーナー部に取り付けられるのぼり旗のほつれ防止シートの取付方法であって、透視性を有するホットメルトフィルムもしくはラミネートによるホットメルトフィルムによって形成してなるほつれ防止シートの融着面をのぼり旗のコーナー部に当接し、その上から加熱圧着によってコーナー部に融着することを特徴としたのぼり旗のほつれ防止シートの取付方法。
【請求項６】
請求項１乃至４のいずれか記載のほつれ防止シートをコーナー部に付設してなることを特徴としたほつれ防止シート付きのぼり旗。
【発明の詳細な説明】
【技術分野】
【０００１】
本発明は、各種の商店、あるいは街頭での広告宣伝等として使用されるのぼり旗のコーナー部に取り付けられてのぼり旗繊維のほつれを未然に防止できるようにしたのぼり旗のほつれ防止シートおよびその取付方法およびほつれ防止シート付きのぼり旗に関する。
【背景技術】
【０００２】
従来より、繊維で形成されたのぼり旗Ｐは、旗竿Ｑに対してループ形成材による複数のチチＳによって取り付けられているのであるが、こののぼり旗Ｐが取り付けられている旗竿Ｑを屋外の所定の場所に設置した際には、のぼり旗Ｐ自体が例えば強風や日光等によって晒されるため、のぼり旗Ｐの外縁下側のコーナー部Ｌが特にほつれ易いものである（図４参照）。
【０００３】
このため、従来では、例えば平織６００デニールの繊維生地にＰＶＣパッキング仕様による直角三角形状のほつれ防止シートをミシン掛けによってのぼり旗Ｐの外縁下側のコーナー部Ｌに縫着していた。
【０００４】
また、のぼり旗Ｐのコーナー部Ｌのほつれを防止するための他の従来の方法としては、のぼり旗Ｐの外縁垂直部分と下側水平部分とをＬ字状に三つ折りして縫製する所謂Ｌ字三つ巻き方式を採用することで、このコーナー部Ｌを含む外縁垂直部分と下側水平部分との全体を補強する構成としていた。
【特許文献１】特に無し
【発明の開示】
【発明が解決しようとする課題】
【０００５】
しかしながら、従来の技術においては、ほつれ防止シートをミシン掛けによってコーナー部に縫着するため、手間と時間が掛かり、しかもほつれ防止シート自体は繊維生地にＰＶＣパッキング仕様による不透視性材料によって形成さているため、のぼり旗のコーナー部の色や文字・絵柄等が隠されてしまう上に、のぼり旗全体の見栄えが悪くなる。
【０００６】
また、のぼり旗の外縁垂直部分と下側水平部分とをＬ字状に三つ折りして縫製する所謂Ｌ字三つ巻き方式でも、のぼり旗自体の製作に手間と時間が掛かり、且つ作業性も低下する。特に、ほつれ易い部分はのぼり旗の外縁下側コーナー部のみであるのに、のぼり旗の外縁垂直部分と下側水平部分との全てをＬ字状に三つ折りして縫製するのでは無駄が多過ぎる。さらに、当該コーナー部の縫製が解け、その後ほつれる等の問題点がある上に、のぼり旗全体の見栄えが悪くなる点も前記同様である。
【０００７】
そこで、本発明は、叙上のような従来存した諸事情に鑑み案出されたもので、各種の商店、あるいは街頭での広告宣伝等として使用されるのぼり旗のコーナー部に取り付けられることで例えば強風や日光等に晒されてものぼり旗繊維のほつれを未然に防止でき、また、のぼり旗のコーナー部を含む全体が透視できるようにすることでのぼり旗のコーナー部の色や文字・絵柄等が隠されてしまうことなく、のぼり旗全体の見栄えを良好にし、のぼり旗としての機能を向上させると共に、のぼり旗のコーナー部に対する取り付けが簡単且つ確実に行われ、しかも、のぼり旗全体の外観を損なわないように取付られるものとしたのぼり旗のほつれ防止シートおよびその取付方法およびほつれ防止シート付きのぼり旗を提供することを目的とする。
【課題を解決するための手段】
【０００８】
上述した課題を解決するため、本発明にあっては、のぼり旗のコーナー部のほつれを防止するために当該コーナー部に取り付けられるのぼり旗のほつれ防止シートであって、該ほつれ防止シートを、加熱圧着によって融着可能な透視性を有するホットメルトフィルムによって形成してなることを特徴とする。
【０００９】
のぼり旗のコーナー部のほつれを防止するために当該コーナー部に取り付けられるのぼり旗のほつれ防止シートであって、該ほつれ防止シートを、加熱圧着によって融着し透視性を現出可能としたラミネートによるホットメルトフィルムによって形成してなることを特徴とする。
【００１０】
のぼり旗のコーナー部のほつれを防止するために当該コーナー部に取り付けられるのぼり旗のほつれ防止シートであって、該ほつれ防止シートを、透視性を備えた合成樹脂によるフィルムシート素材で形成し、この片面に、接着剤層を介して剥離シートを貼着してなることを特徴とする。
【００１１】
前記ほつれ防止シートは、のぼり旗のコーナー部を覆うよう直角三角形シート状もしくは四角形シート状に形成されてなる。
【００１２】
のぼり旗のコーナー部のほつれを防止するために当該コーナー部に取り付けられるのぼり旗のほつれ防止シートの取付方法であって、透視性を有するホットメルトフィルムもしくはラミネートによるホットメルトフィルムによって形成してなるほつれ防止シートの融着面をのぼり旗のコーナー部に当接し、その上から加熱圧着によってコーナー部に融着することを特徴とする。
【００１３】
前記した構成によるほつれ防止シートをコーナー部に付設してほつれ防止シート付きのぼり旗を形成することを特徴とする。
【発明の効果】
【００１４】
本発明によるほつれ防止シートは、各種の商店、あるいは街頭での広告宣伝等として使用されるのぼり旗のコーナー部に取り付けられることで、例えば強風や日光等に晒されてものぼり旗繊維のほつれを未然に防止でき、また、のぼり旗のコーナー部を含む全体が透視できるため、のぼり旗のコーナー部の色や文字・絵柄等が隠されてしまうことなく、のぼり旗全体の見栄えを良好にし、のぼり旗としての機能を向上させることができる。
さらに、のぼり旗のコーナー部に対する取り付けが簡単且つ確実に行われ、しかものぼり旗全体の外観を損なわないように取り付けることができる。
【発明を実施するための最良の形態】
【００１５】
以下、図面を参照して本発明を実施するための最良の一形態を説明する。
本発明に係るほつれ防止シート１は、図１に示すように、旗竿Ｑに対してループ形成材による複数のチチＳによって取り付けられている矩形面状ののぼり旗Ｐの四隅、特に外縁下側におけるコーナー部Ｌに取り付けられることで例えば強風や日光等に晒された際ののぼり旗Ｐの繊維のほつれを未然に防止できる補強材となって構成されており、該ほつれ防止シート１は、加熱圧着によって融着可能な透視性を有するホットメルトフィルムによって、例えば直角を挟む縦横の長さが約５５ｍｍ程度の直角三角形シート状に形成されている。
【００１６】
尚、のぼり旗Ｐの二隅または三隅、あるいは四隅のコーナー部Ｌの全てにほつれ防止シート１を取り付けても良く、またほつれ防止シート１の形状も直角三角形シート状とは限らず、例えば四角形シート状に形成されていても良い。ほつれ防止シート１のサイズも上述の長さに限定されるものではないことは勿論である。
【００１７】
このホットメルトフィルムとは、水や溶剤を全く含まない室温で固体である１００％不揮発性の熱可塑性材料からなる接着性樹脂と定義されている。すなわち、素材がフィルム状の接着剤であって、熱によって溶ける（ホットメルト）性質で特に液状の接着剤を塗ることができない素材の加工等に使われる。
【００１８】
そして、一般にホットメルトフィルムは例えば溶剤法・熱溶融法・押出法等によって製造される。通常は押出塗布加工機とコーターとの２つの部分よりなる押出成形機によって製造される。すなわち、ホットメルト組成物を溶融ブレンドし、ペレット化した後に押出機ホッパーへ投入し、再押出してフィルム化する方法と、溶融ブレンドと押出機とを組み合わせてペレット化工程を省略した直接フィルム化する方法とがある。また、ホットメルトのフィルム化は、溶融したホットメルトをダイスから流出させてフィルム状に加工する冷却ロール法による成形方法が一般的である。この他、被着体に直接ラミネートしてフィルムを形成したり、あるいは離型紙上に塗布した後に被着体へ転写、あるいはロール状フィルムをほどいて被着体に加熱または加圧方法により転写したりする方法もある。
【００１９】
また、ほつれ防止シート１を、加熱圧着によって融着した際に、透視性を現出可能としたラミネートによるホットメルトフィルムによって形成しても良い。
【００２０】
このラミネートによるホットメルトフィルムは、透視性フィルムと不透視性フィルムとを合体して成形され、通常時は不透視性であるが、片面を加熱することで不透視性フィルムが溶融して透視性フィルムが露出するように構成されている。このように加工してなる透視性フィルムによってほつれ防止シート１を作ることができる。
【００２１】
また、図３に示すように、ほつれ防止シート１をホットメルトフィルムでない通常の合成樹脂、例えば透視性を備えたポリエチレンフィルムやポリプロピレンフィルム等のフィルムシート素材で形成しておき、このフィルムシート素材の片面に、接着剤層４を介して剥離シート３を貼着してなる構成とすることができる。
【００２２】
次に、本構成によるほつれ防止シート１の取付方法について説明する。
図２（ａ）に示すように、透視性を有するホットメルトフィルムもしくはラミネートによるホットメルトフィルムによって形成してなる直角三角形シート状のほつれ防止シート１をのぼり旗Ｐのコーナー部Ｌにあてがっておく。このとき、のぼり旗Ｐの外縁下側におけるコーナー部Ｌの直角部分と、ほつれ防止シート１の直角部分とを合致した状態にする。
【００２３】
そして、図２（ｂ）に示すように、コーナー部Ｌをアイロン台Ｍの上に載せて、その上からコーナー部Ｌに例えばアイロンＲ等で加熱圧着することで、ほつれ防止シート１はのぼり旗Ｐのコーナー部Ｌに強固に融着一体化されると同時に、ほつれ防止シート１全体が透視可能な状態となる。
【００２４】
また、図３に示すように、ほつれ防止シート１をホットメルトフィルムでない透視性を備えた通常の合成樹脂によるフィルムシート素材で形成しておき、この片面に、接着剤層４を介して剥離シート３を貼着してなる構成としても良いことは既述のとおりである。
【００２５】
このほつれ防止シート１をのぼり旗Ｐの外縁下側におけるコーナー部Ｌに取り付ける場合には、図３に示すように、先ず剥離シート３を剥がしてからのぼり旗Ｐの外縁下側におけるコーナー部Ｌの直角部分と、ほつれ防止シート１の直角部分とを合致した状態にして接着剤層４を圧着させる。
【図面の簡単な説明】
【００２６】
【図１】本発明を実施するための最良の形態におけるのぼり旗へのほつれ防止シートの使用状態を示す一部切欠正面図である。
【図２】同じくのぼり旗へのほつれ防止シートの取付方法を示し、（ａ）はほつれ防止シートをのぼり旗のコーナー部に配置させた状態の一部切欠斜視図、（ｂ）はその上からコーナー部を加熱圧着する状態の一部切欠斜視図である。
【図３】他例によるほつれ防止シートの取り付け状態を示す一部切欠斜視図である。
【図４】従来におけるのぼり旗のコーナー部のほつれ状態を示す一部切欠正面図である。
【符号の説明】
【００２７】
Ｐ  のぼり旗
Ｑ  旗竿
Ｒ  アイロン
Ｌ  コーナー部
Ｍ  アイロン台
Ｓ  チチ
１  ほつれ防止シート
２  ホットメルト接着剤層
３  剥離シート
４  接着剤層
【図１】
2008292524.tif 000003
【図２】
2008292524.tif 000004
【図３】
2008292524.tif 000005
【図４】
2008292524.tif 000006